(57)【要約】    【課題】起毛性の良い特殊な糸を使用しなくても、強い起毛加工が可能となるジャガードニット編地の編成方法を提供する。    【解決手段】  ジャガードニット編成方法であって、ジャガード組織を構成する糸（グランド糸）と起毛用の糸（ブラッシュ糸）を同一フィーダで編み分けることにより、起毛糸のニットループを大きく形成し、かつグランド糸のループを被覆して、起毛に適したジャガードニット編地とすることを特徴とする。この編成方法で得られるジャガードニット編地は、起毛糸が編地表面に大きく出現していることで起毛加工を行ってもジャガードニット編地を構成するグランド糸のループに影響を与えないため、強い起毛加工が可能になり、その結果、緻密なスエード調のジャガードニット編地が得られる。【選択図】図５
2005320653.tif 000002
【特許請求の範囲】
【請求項１】
ジャガード組織を構成する糸（グランド糸）（３２）と起毛用の糸（ブラッシュ糸）（３４）を同一フィーダで編み分けることにより、起毛糸のニットループを大きく形成し、かつ、グランド糸のループを被覆して、起毛に適したジャガードニット編地とすることを特徴とするジャガードニット編成方法。
【請求項２】
ダブルニット編機を使用して行う起毛に適したジャガードニット編成方法であって、
シリンダー針（１０）とダイヤル針（２０）をニット位置まで移動させ、オールドループ（１３，２３）をラッチから脱却させ、
シリンダー針（１０）を下降させ、ダイヤル針（２０）を編機内方向へ移動させ、この時ヤーンキャリヤ（３０）の縦穴（３１）から給糸されたグランド糸（３２）を、ダイヤル針フック（２１）によって捕捉させて、オールドループ（２３）によりダイヤル針ラッチ２２を閉じ、
ラッチを閉じたダイヤル針（２０）を、その状態を保ったまま横方向へ移動させ、
一方、ヤーンキャリヤ（３０）の横穴（３３）から給糸された起毛糸（３４）をシリンダー針（１０）によって捕捉させ、この時シリンダー針（１０）はダイヤル針フック（２１）内にあるグランド糸（３２）も同時に捕捉させてオールドループによりシリンダー針ラッチ（１２）を閉じ、
更に、シリンダー針（１０）を下降させて、ラッチを閉じたダイヤル針（２０）の上を跨ぐ状態で起毛糸（３４）を引き込ませ、グランド糸（３２）とともに２本の糸を引き込ませながらオールドループをノックオーバーさせることを特徴とする、起毛に適したジャガードニット編成方法。
【請求項３】
少なくとも２つのフィーダーで柄をレピートする編機において起毛に適した少なくとも２色のジャガードニット編地を編成する方法であって、第１フィーダで第１色のグランド糸（３２）と起毛糸（３４）を給糸し、第２フィーダで第２色のグランド糸（３２）と起毛糸（３４）を給糸して編む請求項１又は２記載の方法。
【請求項４】
少なくとも２つのフィーダーで柄をレピートする編機において起毛に適した凹凸のあるジャガードニット編地を編成する方法であって、第１フィーダと第２フィーダのどちらか一方のフィーダでグランド糸（３２）と起毛糸（３４）を給糸し、もう一方のフィーダではグランド糸（３２）のみで編む請求項１又は２記載の方法。
【請求項５】
さらに、起毛加工する工程を有する請求項１ないし４のいずれかに記載の方法。
【請求項６】
請求項１ないし４のいずれかに記載の方法により得られる起毛に適したジャガードニット編地。
【請求項７】
請求項５に記載の方法により得られるジャガードニット起毛編地。
【発明の詳細な説明】
【技術分野】
【０００１】
本発明は、ジャガードニット編地及びその編成方法に関する。
【背景技術】
【０００２】
従来、ジャガードニット編地を起毛するには起毛性の良い糸を使用して行われている。ボリュームのある起毛製品を得るには強い起毛が必要となるが、起毛加工によって編地を構成するループを引き千切ってしまう問題が生じる。これを回避するため、起毛性の良い特殊な糸を使用したり、起毛加工を行いやすくするため編み立て工程でループを大きくするという対処が行われている。
【０００３】
一般的にはジャガードニット編地の起毛製品は起毛加工時にループの糸を引き千切ったり、ループ形状に影響を与えないように、起毛加工は軽度に行われ、編地表面のループが視認出来る程度の編地となっている。このようにして得られるジャガードニットの起毛製品は起毛性の良いアクリル糸やウール糸を使用した秋冬物の地厚の衣料が主流となっており、これら以外の用途としてはあまり考えられていない。
【０００４】
さらに、フィブリル化のしやすさが異なる２種類以上の繊維を使用することにより、フィブリル化による起毛部分と非起毛部分とで柄及び／又は模様を形成する薄起毛調布帛が下記特許文献１により知られている。この文献の［００１２］〜［００１３］には、この発明が、ジャガード編機を使用してジャガード柄に利用することができるとの記載があるが、そのための編成方法や編組織図などは一切開示されていない。
【特許文献１】特開２０００−１６０４５４
【発明の開示】
【発明が解決しようとする課題】
【０００５】
本発明は、起毛性の良い特殊な糸を使用しなくても、強い起毛加工が可能となるジャガードニット編地の編成方法及びそれにより得られる編地を提供することを目的とする。
【課題を解決するための手段】
【０００６】
本発明は、ジャガードニット編成方法であって、ジャガード組織を構成する糸（グランド糸）と起毛用の糸（ブラッシュ糸）を同一フィーダで編み分けることにより、起毛糸のニットループを大きく形成し、かつグランド糸のループを被覆して、起毛に適したジャガードニット編地とすることを特徴とする。本発明はまたこの方法により得られる編地である。
【発明の効果】
【０００７】
この編成方法で得られるジャガードニット編地は、起毛糸が編地表面に大きく出現していることで起毛加工を行ってもジャガードニット編地を構成するグランド糸のループに影響を与えないため、強い起毛加工が可能になる。その結果、起毛加工することにより、緻密なスエード調のジャガードニット編地が得られる。
【０００８】
このようにして得られる起毛編地は、自動車のシート材や内装材、椅子やソファーの上張り等、工業資材としての用途へ展開することが出来る。
【発明を実施するための最良の形態】
【０００９】
図１は、本発明におけるダイヤル針とシリンダー針の動作線図である。図２の分図(１)−(６)は、図１における(１)〜(６)部における編成断面図である。
【００１０】
ニットカムやその他の選針手段（図示せず）で選択されたシリンダー針１０とダイヤル針２０は、ニット位置まで移動し、オールドループ１３，２３をラッチから脱却させる（図２−(１)）。その後、シリンダー針１０は下降し、ダイヤル針２０は編機内方向へ移動を開始する（図２−(２)）。この時ヤーンキャリヤ３０の縦穴３１から給糸されたグランド糸３２は、ダイヤル針フック２１によって捕捉され、オールドループ２３によりダイヤル針ラッチ２２が閉じられる（図２−(３)）。ラッチを閉じたダイヤル針２０はその状態を保ったまま横方向へ移動する（図２−(４)）。
【００１１】
一方、ヤーンキャリヤ３０の横穴３３から給糸された起毛糸３４はシリンダー針１０によって捕捉され、この時シリンダー針１０はダイヤル針フック２１内にあるグランド糸３２も同時に捕捉してオールドループによりシリンダー針ラッチ１２が閉じられる（図２−(４)）。更に、シリンダー針１０が下降すると起毛糸３４はラッチを閉じたダイヤル針２０の上を跨ぐ状態で引き込まれ、グランド糸とともに２本の糸を引き込みながらシリンダーオールドループをノックオーバーする（図２−(５)）。そして、ダイヤル針のラッチの上をまたいでいた起毛糸は、ダイヤルループのノックオーバーにより、ダイヤル針のラッチから外れ、半月状のループを形成する（図２−(６)）。
【００１２】
この編成方法により起毛糸の給糸される長さは長くなり、シリンダー天竺編みでありながら両面編みのグランド糸とほぼ同一の長さとなる。この結果、起毛糸のループはグランド糸のループをプレーティング状に覆った状態で形成され、編地表面に大きく浮き上がって出現する。この編地を起毛加工するとジャガードニットの起毛編地が得られる。
【００１３】
さらに、少なくとも２つのフィーダーで柄をレピートする編機において、第１フィーダで第１色のグランド糸と起毛糸を給糸し、第２フィーダで第２色のグランド糸と起毛糸を給糸して編むと、起毛に適した２色ジャガードニット編地が得られる。この編地を起毛加工すると２色ジャガードニットの起毛編地が得られる。
【００１４】
さらに、少なくとも２つのフィーダーで柄をレピートする編機において、第１フィーダと第２フィーダのどちらか一方のフィーダでグランド糸と起毛糸を給糸し、もう一方のフィーダではグランド糸のみで編むと起毛に適した凹凸のあるジャガードニット編地となる。この編地を起毛加工すると凹凸のあるジャガードニットの起毛編地が得られる。
【００１５】
起毛加工の方法としては、従来公知の方法、例えば針布起毛やサンドペーパーによる起毛などが任意に採用できる。
【実施例１】
【００１６】
図３は、本発明第１実施例に係る編み立てフィーダ構成概略図である。図４は、それにより得られる２色ジャガード柄組織図である。図５は各フィーダにおける編方図である。
【００１７】
ダブルニットのコンピュータ編機を使用し、シリンダーカム及びダイヤルカムを図３のように設定して編成する。編成組織は４フィーダでレピートし、それぞれのフィーダにグランド糸と起毛糸を給糸する。起毛糸はＡ、Ｂの２色を使用する。図４では、Ａ色を○で、Ｂ色を無記号で表示した。
【００１８】
ダイヤルカム配列は次のとおりである。
フィーダ１ ： Ｌニット    Ｈウエルト
フィーダ２ ： Ｌニット    Ｈウエルト
フィーダ３ ： Ｈニット    Ｌウエルト
フィーダ４ ： Ｈニット    Ｌウエルト
【００１９】
シリンダー柄の設定は次のとおりである。
フィーダ１とフィーダ２で２色ジャガード柄を設定
フィーダ３とフィーダ４で２色ジャガード柄を設定
【００２０】
第1フィーダではダイヤルのＬ針をニット、Ｈ針をウエルトにして１×１のダイヤルニット・ウエルトとし、シリンダー針は図４のＡ色の針をニット、Ｂ色の針をウエルトにしてジャガード編みを行う。グランド糸３２はヤーンキャリヤ３０の縦穴３１から給糸してダイヤル針２０とシリンダー針１０でジャガード編みを行い、起毛糸３４はヤーンキャリヤ３０の横穴３３から給糸してシリンダー針１０のみに給糸を行ってラッチ２２の閉じたダイヤルＬ針の上を介して引き込んで編む。
【００２１】
このとき、横穴３３から出る起毛糸３４は、シリンダー針１０のみに給糸されることが必要であり、起毛糸の位置が低いとダイヤル針２０のラッチが起毛糸を捕捉するので、横穴位置はシリンダー針１０に給糸できる範囲で高くしておくことが条件となる。一方、縦穴３１の位置はそれほどシビアな条件が必要でないが、縦穴給糸部のエグリ部３５（図９参照）は、ダイヤル針２０のラッチが閉じるとき障害とならないように寸法を決めなければならない。
【００２２】
第２フィーダではダイヤルのＬ針をニット、Ｈ針をウエルトにして１×１のダイヤルニット・ウエルトとし、シリンダー針１０は図４のＢ色の針をニット、Ａ色の針をウエルトにしてジャガード編みを行う。グランド糸３２はヤーンキャリヤ３０の縦穴３１から給糸してダイヤル針２０とシリンダー針１０でジャガード編みを行い、起毛糸３４はシリンダー針１０のみに給糸を行ってラッチ２２の閉じたダイヤルＨ針の上を介して引き込んで編む。
【００２３】
第３、第４フィーダはそれぞれダイヤルＬ針、Ｈ針のニット、ウエルトの動作が逆になるが、編成方法は同じとなる。
【００２４】
このようにして、図４に示すような、編地全面に起毛糸のループが現れるジャガード柄編地が得られる。このジャガード編地を起毛加工すると、２色ジャガードニットの起毛編地となる。
【実施例２】
【００２５】
図６は、本発明第２実施例に係る編み立てフィーダ構成概略図である。図７は、それにより得られる２色ジャガード柄組織図である。図８は各フィーダにおける編方図である。
【００２６】
ダブルニットのコンピュータ編機を使用し、シリンダーカム及びダイヤルカムを図６のように設定して編成する。編成組織は４フィーダでレピートし、第１、第３フィーダでグランド糸３２と起毛糸３４を給糸し、第２、第４フィーダはグランド糸３２のみを給糸する。起毛糸はＡ、Ｂの２色を使用する。図７でも、Ａ色を○で、Ｂ色を無記号で表示した。
【００２７】
ダイヤルカム配列は次のとおりである。
フィーダ１ ： Ｌニット    Ｈウエルト
フィーダ２ ： Ｌニット    Ｈウエルト
フィーダ３ ： Ｈニット    Ｌウエルト
フィーダ４ ： Ｈニット    Ｌウエルト
【００２８】
シリンダー柄の設定は次のとおりである。
フィーダ１とフィーダ２で２色ジャガードを設定
フィーダ３とフィーダ４で２色ジャガードを設定
【００２９】
第1フィーダではダイヤルのＬ針をニット、Ｈ針をウエルトにして１×１のダイヤルニット・ウエルトとし、シリンダー針は図７のＡ色の針をニット、Ｂ色の針をウエルトにしてジャガード編みを行う。グランド糸３２はヤーンキャリヤ３０の縦穴３１から給糸してダイヤル針２０とシリンダー針１０でジャガード編みを行い、起毛糸３４はヤーンキャリヤ３０の横穴３３から給糸してシリンダー針１０のみに給糸を行ってラッチ２２の閉じたダイヤルＬ針の上を介して引き込んで編む。
【００３０】
第２フィーダではダイヤルのＬ針をニット、Ｈ針をウエルトにして１×１のダイヤルニット・ウエルトとし、シリンダー針１０は図７のＢ色の針をニット、Ａ色の針をウエルトにしてジャガード編みを行う。グランド糸３２はヤーンキャリヤ３０の縦穴３１から給糸してダイヤル針２０とシリンダー針１０でジャガード編みを行い、このフィーダでは起毛糸３４は編み込ませない。
【００３１】
第３、第４フィーダはそれぞれダイヤルＬ針、Ｈ針のニット、ウエルトの動作が逆になるが、編成方法は同じとなる。
【００３２】
この方法により編成すると、グランド糸３２と起毛糸３４の２本の糸で編まれたＡ色部分（図７）は起毛糸３４のループが浮き上がり編地が厚く、グランド糸３２だけで編まれたＢ色部分（図７）は編地が薄くなり、凹凸状のジャガード編地となる。このジャガード編地を起毛加工すると、起毛された部分と起毛されなかった部分で凹凸状のジャガードニットの起毛編地となる。
【図面の簡単な説明】
【００３３】
【図１】本発明におけるダイヤル針とシリンダー針の動作線図である。
【図２】図１における（１）〜（６）部における編成断面図である。
【図３】実施例１の編み立てフィーダ構成概略図である。
【図４】実施例１により得られる２色ジャガード柄組織図である。
【図５】実施例１の各フィーダにおける編方図である。
【図６】実施例２の編み立てフィーダ構成概略図である。
【図７】実施例２により得られる２色ジャガード柄組織図である。
【図８】実施例２の各フィーダにおける編方図である。
【図９】実施例１，２で使用するヤーンキャリアの拡大図である。
【符号の説明】
【００３４】
１０   シリンダー針
１１   シリンダー針フック
１２   シリンダー針ラッチ
１３   シリンダーオールドループ
２０   ダイヤル針
２１   ダイヤル針フック
２２   ダイヤル針ラッチ
２３   ダイヤルオールドループ
３０   ヤーンキャリヤ
３１   ヤーンキャリヤ縦穴
３２   グランド糸
３３   ヤーンキャリヤ横穴
３４   起毛糸
【図１】
2005320653.tif 000003
【図２】
2005320653.tif 000004
【図３】
2005320653.tif 000005
【図４】
2005320653.tif 000006
【図５】
2005320653.tif 000007
【図６】
2005320653.tif 000008
【図７】
2005320653.tif 000009
【図８】
2005320653.tif 000010
【図９】
2005320653.tif 000011